(57)【要約】【課題】グループとして収集された複数のデータ・チャネルを示し、どのグループが選択されているかを示すと共に、グループ内のチャネルを示す。【解決手段】複数のデータ・チャネルを受けると共に表示する試験測定機器において、表示手段に複数のデータ・チャネルを表示し、グループ化手段で、２つ以上の表示されたデータ・チャネルをグループ化し、指示手段でグループ化されたデータ・チャネルを示す。指示手段により表示された指示は、互いに関連したデータ・チャネルのグループに対するものであり、グループの近傍に位置するヘッドと、複数のデータ・チャネルを包囲するテールとを有する。グループが選択されたときに、指示の少なくとも一部が強調される。【選択図】図１
2008197106.tif 000002
【特許請求の範囲】
【請求項１】
複数のデータ・チャネルを受けると共に表示する試験測定機器であって、
受けた上記複数のデータ・チャネルを表示する表示手段と、
２つ以上の表示された上記データ・チャネルをグループ化する手段と、
上記表示手段上で、表示されグループ化された上記データ・チャネルを示す指示手段とを具え、
上記指示手段により表示された指示は、互いに関連した上記データ・チャネルのグループに対するものであり、
上記グループの近傍に位置するヘッドと、
上記複数のデータ・チャネルを包囲するテールとを有し、
上記グループが選択されたときに、上記指示の少なくとも一部が強調されることを特徴とする試験測定機器。
【請求項２】
上記一部は、上記ヘッドであることを特徴とする請求項１の試験測定機器。
【請求項３】
上記一部は、上記テールであることを特徴とする請求項１の試験測定機器。
【請求項４】
上記ヘッドは、外形形状のシンボルであり、
上記グループが選択されたときに、上記外形形状の内側が埋まることを特徴とする請求項１の試験測定機器。
【請求項５】
上記テールは、上記複数のチャネルを表すチャネル番号を有するバーであることを特徴とする請求項１の試験測定機器。
【請求項６】
上記テールは、上記複数のチャネルを表すチャネル番号の近傍で上記チャネル番号を包囲するブラケットであることを特徴とする請求項１の試験測定機器。
【請求項７】
上記ヘッドは、上記複数のチャネルを示す三角形であることを特徴とする請求項１の試験測定機器。
【発明の詳細な説明】
【技術分野】
【０００１】
本発明は、一般に、複数のデータ・チャネルを表示する試験測定機器に関し、特に、集めてグループにしたチャネルの指示を表示できる試験測定機器に関する。
【背景技術】
【０００２】
ロジック・アナライザ（ＬＡ）及びミックスド・シグナル・オシロスコープ（ＭＳＯ：デジタル信号及びアナログ信号の両方を測定するオシロスコープ）などの多くの試験測定機器は、複数のデータのロジック・チャネル（データ・チャネル）の表示を行う。チャネルをグループ化する一例は、複数のデータ・チャネルからグループを自動的に形成するために、複数のデータ・チャネルから表示用のチャネルを選択する試験測定機器であり、表示されたチャネルの１つを、近傍の他の表示されたチャネルに移動させて、グループを形成し、また、他のグループに近傍のグループを移動させて、これら２つのグループを組合せた新たなグループを形成している。この例では、複合化に関係なく、ユーザは、複数チャネルのグループかを柔軟に行える。このチャネルのグループ化により、グループ内のチャネルを一緒にオン（表示）又はオフ（非表示）にでき、表示を一緒に移動することもできる。一般的には、関連したチャネルの近傍で、表示の左側に沿って、チャネル番号が表示される。しかし、チャネルがグループの一部なのか、又は、グループ内の個別チャネルとは別にグループが選択されているのかが容易には判らない。
【０００３】
【特許文献１】特公平５−３４２２９６号公報
【発明の開示】
【発明が解決しようとする課題】
【０００４】
そこで、グループとして収集された複数のデータ・チャネルを示し、どのグループが選択されているかを示すと共に、グループ内のチャネルを示すことが望まれている。
【課題を解決するための手段】
【０００５】
本発明の複数のデータ・チャネルを受けると共に表示する試験測定機器であって；受けた複数のデータ・チャネルを表示する表示手段と；２つ以上の表示されたデータ・チャネルをグループ化する手段と；表示手段上で、表示されグループ化されたデータ・チャネルを示す指示手段とを具え；指示手段により表示された指示は、互いに関連したデータ・チャネルのグループに対するものであり；グループの近傍に位置するヘッドと；複数のデータ・チャネルを包囲するテールとを有し；グループが選択されたときに、指示の少なくとも一部が強調されることを特徴とする。
【発明の効果】
【０００６】
よって、本発明は、グループ内の収集されたチャネルの指示であって、どのチャネルがグループ内にあり、また、そのグループが選択されたグループ内にあるか、又は選択されたグループ内にどのチャネルがあるかを示すことができる。
【発明を実施するための最良の形態】
【０００７】
本発明の試験測定機器による指示は、ヘッド（頂部）とテール（後部）とを具えており、ヘッドは、グループの近傍に位置し、テールは、グループ内に含まれるチャネル番号を包囲する。好ましくは、ヘッドは、グループ内のチャネル番号の頂部に位置する三角形であり、この三角形は、そのグループに属するチャネル番号の方向を示す。テールは、串のように三角形からチャネル番号を通過して延びるバー（棒状のもの）でもよく、グループ内のチャネル番号を包囲する。例えば、選択ノブによりグループ内の頂部のチャネルを選択した際、この選択ノブを同じ方向に更に回転させると、グループが選択される。グループを選択すると、指示が強調される。選択ノブを再度いずれかの方向に回転させると、このグループが非選択となり、表示上でそのグループの上の次のチャネル、又はそのグループの頂部のチャネルが選択される。
【０００８】
本発明の目的、利点及び新規な特徴は、添付図を参照した以下の詳細な説明から明らかになろう。
【実施例】
【０００９】
図１は、本発明の試験測定機器による指示を用いた表示の平面図である。試験測定機器は、複数のデータを受け、これらデータ・チャネルを取込みメモリに蓄積し、マイクロプロセッサなどによりデータ・チャネルを適切に処理して表示メモリに蓄積し、この表示メモリの蓄積内容を表示器に表示する。以下の動作は、ソフトウェアによるが、どのような表示をするかが判れば、それをどの様に実現するかは当業者には容易であるので、この点の説明は省略する。図１において、表示器１０は、夫々４チャネルを有する４つのグループに複数のチャネルがグループ化されている状態を示している。図を簡単にするため、各チャネルの表示は、単に直線で示す。表示器１０の左側には、チャネル番号が示される。複数のデータ・チャネルが互いに近接することにより、グループ化を推論できる。しかし、多くの場合、これらデータ・チャネルがどの様に「近接」させるかにより、実際にはグループとはならない。しかし、表示器１０の左側で指示２０が表示されることにより、表示上でチャネルが垂直にどの程度分離しているかに関わりなく、どのチャネルが一緒にグループ化されているかが明瞭に示される。指示２０は、「ヘッド」（頂部）２２及び「テール」（後部）２４を含む。本実施例では、各グループの頂部で下向きの三角形がヘッドであり、グループを作るチャネル番号を串のように通るバーがテールである。ヘッド２２及びテール２４は、外形形状（アウトライン・フォーム）として示され、チャネル番号の１つ（４）が強調されて、現在、チャネル４が選択されていることを示す。図２は、図１に示すグループの１つについて、表示上の左側の詳細を示している。チャネル番号の指示は、ロジック信号がそのチャネル用に表示された際に、そのロジック信号の高さの分だけ、右側がブラケット（括弧の形状）となっている。
【００１０】
上述のチャネル・グループ化の一例のように、グループ化の概念を利用するためには、ユーザは、個別チャネルに対抗してグループを選択する時を理解する必要があり、さらに、ノブ（図示せず）を選択ノブとして用いて回転させる際に次に何を選択するかを知る必要がある。この選択ノブは、上述のマイクロプロセッサ及びソフトウェアと連動して、データ・チャネルの表示を制御する。図３の図形に示すように、表示器１０で、指示２０により示されたグループは、チャネル１５〜１２からなり、個別チャネル０がこのグループの上にある。チャネル番号の強調により示すように、最初、チャネル１４が選択されている。選択ノブが一方向に回転されると、チャネル１５が選択される。このチャネル１５は、グループの頂部のチャネルである。選択ノブが同じ方向に更に回転されると、強調された指示２０で示すように、グループ全体が選択される。ここでは、指示の外形線の内側が埋まることにより強調される。選択ノブが更に同じ方向に回転されると、個別チャネル０を選択される。一方、選択ノブを逆方向に回転させると、チャネル１５が再度選択される。いずれの場合も、グループは、非選択となる。
【００１１】
試験測定機器のユーザ・インタフェース（ＵＩ）の他の部分に同じ指示２０を用いてもよい。例えば、図４に示すように、グループがチャネル・メニューにリスト化された場合、指示２０を垂直ではなく水平の方向に用いて、チャネルＤ７〜Ｄ３がグループ化されたことを示すことができる。かかるリスト化は、グループ内の全てのチャネルをリストするものではない。ここでは、チャネルを順番に表示するものではなく、グループの初めと終わりのチャネルのみが示される。同様に、図５に示すように、選択ノブにより何が選択されるかの表示では、グループが選択された際に、メニュー表示において、水平構造を用いてもよい。
【産業上の利用可能性】
【００１２】
三角形２２及びバー２４として示したが、指示２０は任意の形状でもよく、ヘッドとしては、円、矩形、多面体などであり、テールとしては、ブラケット、ラインなどのである。これらは、どのチャネルがグループに関連するか、グループが選択されているか否かを明瞭に示すものである。また、ヘッド２２は、グループ化されたチャネルの頂部又は底部（左又は右）のいずれでもよく、テールは、チャネル番号を通るバーではなく、チャネルの周りのブラケットの形状でもよい。本発明の顕著な特徴は、どのチャネルがグループに帰属し、グループが選択されたことを示す指示になる。さらに、どのチャネルがグループに帰属し、グループが選択されたことを示せれば、ヘッド２２は、テール２４と一体となって、テール２４と区別できなくてもよい。
【００１３】
よって、本発明によれば、一緒にグループ化されたチャネル用の指示を提供し、そのグループ内のチャネルを示すと共に、グループが選択されたことを示す。この指示は、好ましくは、チャネルのグループの一端にヘッドと、このグループ内のチャネルを包囲するテールとを有する。
【図面の簡単な説明】
【００１４】
【図１】本発明の試験測定機器による指示を用いた表示の平面図である。
【図２】図１の表示の一部であり、本発明による指示をよりわかりやすく示した平面図である。
【図３】本発明により、指示がどのように変化して、グループ選択を指示するかを示す図である。
【図４】垂直配列におけるグループ化を示す図である。
【図５】水平配列におけるグループ化を示す図形である。
【符号の説明】
【００１５】
１０  表示器
２０  指示
２２  ヘッド
２４  テール
【図１】
2008197106.tif 000003
【図２】
2008197106.tif 000004
【図３】
2008197106.tif 000005
【図４】
2008197106.tif 000006
【図５】
2008197106.tif 000007